(57)【要約】【課題】  表示部を有する小型の携帯端末において、階層化されたメニューやフォルダの構造をわかりやすく表示すると共に、既存の方向キーや数字キーによりメニューやフォルダの選択を操作性よく行うことができる携帯端末を提供する。【解決手段】  図５（ｃ）は、フォルダ「４丸１」が選択された時の表示である。画面上部には、フォルダ「４丸１」が属するツリーのパス１に属する全フォルダが上位階層から下位階層の順番で横１列に表示され、フォルダ「４丸１」はカーソル表示された状態になる。その下には、フォルダ「４丸１」の正式名称「いいい」及び当該フォルダが有するファイルの名称「ＤＤＤ」、「ＥＥＥ」、「ＦＦＦ」、「ＧＧＧ」が表示される。次に、ユーザが数字キーの「２」を押して下方向キーを押すと、図５（ｅ）の状態になる。つまり、フォルダ「４丸１」と同一階層に存在する「２」個下側のフォルダ「４丸３」が選択されて同様の表示が行われる。【選択図】  図５
2007164505.tif 000002
【特許請求の範囲】
【請求項１】
数字キー、方向キーとを含むキー入力手段と、
フォルダ名称およびファイル名称等を表示する表示手段と、
フォルダのツリー構造のパス、階層順番、および同一階層内に属するフォルダの順番を記憶するフォルダ記憶手段と、
前記数字キーと方向キーが押下されたことを検出し、かつ該方向キーが左右の方向であれば、現在選択されているフォルダが属するパス上で、数字キーで示された数値分だけ上位階層または下位階層側のフォルダを選択し、方向キーが上下の方向であれば、現在選択されているフォルダと同一階層内で、数字キーで示された数値分だけ移動したフォルダを選択するフォルダ制御手段とを
具備することを特徴とする携帯端末。
【請求項２】
数字キー、方向キーとを含むキー入力手段と、
フォルダ名称およびファイル名称等を表示する表示手段と、
フォルダのツリー構造のパス内の階層順に階層番号を割り当てると共に、同一階層内に属するフォルダに同一階層内順序番号を割り当てるフォルダ管理手段と、
前記階層番号および同一階層内順序番号を記憶する記憶手段と、
数字キーが２個連続して押下されたことを検出した時、１桁目の数字キーが前記階層番号に相当し、２桁目の数字キーが前記同一階層内順序番号に相当するフォルダを選択するフォルダ制御手段とを
具備することを特徴とする携帯端末。
【発明の詳細な説明】
【技術分野】
【０００１】
本発明は、表示部を有する小型の携帯端末において、階層化されたメニューやフォルダの表示と選択をわかりやすく行うことができる携帯端末に関する。
【背景技術】
【０００２】
（背景技術１）
メニューを多階層のＴｒｅｅ状に保持しつつメニュー選択が容易、正確にできるよう操作性を向上させたメニュー選択方法及び装置がある（例えば、特許文献１参照。）。この特許文献１では、階層をＴｒｅｅ状に横方向に表示すると共に、各階層で選択されたメニューの内容を縦方向に各階層同時表示している。そして、同じ階層中のメニューは、同じ階層上で上位の階層（横方向の左側）に戻ることなくＴｒｅｅ状の分類を飛び越えて上または下方向にエンドレスに、スクロール操作で一つずつ又はマウスのダブルクリックでジャンプして移動できる。
【０００３】
（背景技術２）
階層化された複数のメニューのデータ構造を判りやすく表示すると共に、所望のメニューを操作性よく選択させるメニュー選択装置がある（例えば、特許文献２参照。）。この特許文献２では、メニューファイルのデータ構造のすべてがツリー状に表示される。そして、ジョグダイアルの操作量及び操作方向に従って、メニューファイルの１つが選択される。
【特許文献１】特開平１１−１２６１４７号公報（第３〜４頁、図３、図４、図７）
【特許文献２】特開２００４−２９５６００号公報（第４頁、図６）
【発明の開示】
【発明が解決しようとする課題】
【０００４】
従来の背景技術１のメニュー選択方法及び装置では、各階層で選択されたメニューの内容を縦方向に各階層同時表示しているために、階層が深くなるとスペース上、小さな画面に表示できなくなる。また、上位から下位の階層へと順次選択した分を表示するために、選択する前に予め下位側の階層（横方向の右側）に何があるかが表示されない。また、メニューの移動は、マウスのない小型の携帯端末では、スクロール操作で一つずつ移動するしかないなどの問題があった。  
一方、従来の背景技術２のメニュー選択装置では、メニューファイルのデータ構造のすべてがツリー状に表示されて全体を把握することができるが、小さな画面では、このツリー状表示とこの中から選択したメニューファイルの内容の拡大表示とを同時に行うことはできない。また、メニューの移動は、ジョグダイアルのない小型の携帯端末では、スクロール操作で一つずつ移動するしかないなどの問題があった。
【０００５】
本発明は、上記の問題点を解決するためになされたもので、表示部を有する小型の携帯端末において、階層化されたメニューやフォルダの構造をわかりやすく表示すると共に、既存の方向キーや数字キーによりメニューやフォルダの選択を操作性よく行うことができる携帯端末を提供することを目的とする。
【課題を解決するための手段】
【０００６】
上記目的を達成するために、本発明の携帯端末は、数字キー、方向キーとを含むキー入手段と、フォルダ名称およびファイル名称等を表示する表示手段と、フォルダのツリー構造のパス、階層順番、および同一階層内に属するフォルダの順番を記憶するフォルダ記憶手段と、前記数字キーと方向キーが押下されたことを検出し、かつ該方向キーが左右の方向であれば、現在選択されているフォルダが属するパス上で、数字キーで示された数値分だけ上位階層または下位階層側のフォルダを選択し、方向キーが上下の方向であれば、現在選択されているフォルダと同一階層内で、数字キーで示された数値分だけ移動したフォルダを選択するフォルダ制御手段とを具備することを特徴とする。
【発明の効果】
【０００７】
本発明によれば、メニューのツリー構造の内、１系列のツリーのみ上位から下位の階層すべてについて表示すると共に、選択したメニューの内容も同時表示することにより、操作者にとって深い階層の理解が容易に行うことが可能となる。また、既存の方向キーと数字キーの同時操作により、既存の方向キー単独の動作および数字キー単独の動作を生かしたまま、メニューの移動を効率よく行うことが可能となる。
【発明を実施するための最良の形態】
【０００８】
以下、本発明の実施例を、図面を参照して説明する。
【実施例】
【０００９】
図１は、本発明の実施例に係る携帯端末の構成図である。携帯端末は、フォルダ管理部１、フォルダ制御部２、フォルダ記憶部３、数字キー４、方向キー５、確定キー６、表示部７などによって構成される。  
フォルダ管理部１は、フォルダの追加削除等の管理を行う。フォルダ制御部２は、フォルダの表示や選択等の制御を行う。フォルダ記憶部３は、フォルダ内のファイルデータの記憶や、フォルダの階層構造等を記憶する。数字キー４は、「０」〜「９」の数字、及びアルファベットやカナ文字などを入力するためのキーである。方向キー５は、上方向キー、下方向キー、左方向キー、右方向キーを備えて、上下左右方向のカーソルの移動等に使用される。確定キー６は、選択されたファイルの実行等に使用される。表示部７は、各種フォルダの表示や、操作用の画面として使用される。
【００１０】
図２は、本発明の実施例に係る携帯端末のデータフォルダやメニュー等のツリー構造を説明する図である。このツリー構造の例では、フォルダ１１は最上位の階層のフォルダであり、その下位側つまり図面の右方向に向かって各種のフォルダが繋がる。上位階層から下位階層への繋がりを表すパスとして、色々なパスがある。パス１は、最上位階層のフォルダ１１から始まり、フォルダ２１、３１、４１、そして、最下位階層のフォルダ５１に繋がるパスである。パス２は、フォルダ１１、２１、３２、４２と繋がるパスである。パス３は、フォルダ１１、２１、３２、４３、５２と繋がるパスである。パス４は、フォルダ１１、２２、３３と繋がるパスである。この中で、フォルダ２１と２２は上位から２番目の階層である。フォルダ３１、３２、３３は上位から３番目の階層である。フォルダ４１、４２、４３は上位から４番目の階層である。フォルダ５１と５２は上位から５番目の階層である。
【００１１】
各フォルダには、絶対値番号が付けられ、例えば、パス３のフォルダ１１、２１、３２、４３、５２には、それぞれ、絶対値「１丸１」（以下、数字Ｎを丸枠で囲んだ丸枠数字を丸Ｎと称する）、「２丸１」、「３丸２」、「４丸３」、「５丸２」が付けられる。この絶対値番号の１桁目は、階層順序を表し、「１」が最上位、「５」が最下位を表す。絶対値番号の丸枠数字の２桁目は、同一階層内に存在するフォルダに順番に割り当てられた数字であり、例えば、「４丸３」は、上位から４番目の階層で、この同一階層内に存在する丸３番目のフォルダであることを示す。つまり、絶対値番号の１桁目は、ツリー構造図の横方向の座標を示し、絶対値番号の丸枠数字の２桁目は、ツリー構造図の縦方向の順番を表す。これらの絶対値番号やパス情報は、フォルダ記憶部３（図１）に記憶される。
【００１２】
図３は、本発明の実施例に係る携帯端末のフォルダ管理のフローチャートである。フォルダ管理部１は、ユーザがフォルダの追加削除等の編集操作を行ったときには（ステップＳ１でＹＥＳ）、自動で、階層見直しや同一階層内のフォルダの数の変化に対応して、絶対値番号やパス情報の更新を行い、フォルダ記憶部３に記憶する（ステップＳ２）。例えば、フォルダ４２(図２)を削除すると、フォルダ４３の絶対値番号は、第４階層内の縦方向２番目の位置付けとなるので、「４丸２」となり、パス２は無くなり、パス３情報は「１丸１−２丸１−３丸２−新４丸２−５丸２」に更新して記憶する。また、例えば、フォルダ４２の下位側の階層に新しいフォルダを追加すると、そのフォルダの絶対値番号は、「５丸２」となり、フォルダ５２の絶対値番号は、「５丸２」から「５丸３」に更新する。また、パス２情報は、「１丸１−２丸１−３丸２−４丸２−新５丸２」、パス３情報は、「１丸１−２丸１−３丸２−４丸３−新５丸３」に更新される。
【００１３】
図４は、本発明の実施例に係る携帯端末のフォルダやメニューの表示画面図である。フォルダ４１がカーソルで選択されている時の表示画面を表す。画面の上部の階層表示１０２欄には、選択されているフォルダ４１（図２）が属するパス１の全フォルダ１１、２１、３１、４１、５１が絶対値番号「１丸１」、「２丸１」、「３丸１」、「４丸１」、「５丸１」で横方向に表示される。その下の１０３欄には、選択されているフォルダ「４丸１」の実際のフォルダ名称「いいい」が表示され、ユーザは、そのフォルダ名称「いいい」により、フォルダの機能を理解することができる。更にその下の１０４欄には、フォルダ「いいい」が有するファイルの名称「ＤＤＤ」、「ＥＥＥ」、「ＦＦＦ」、「ＧＧＧ」がアイコンと共に表示される。  
従って、ユーザは、選択したフォルダ「４丸１」が属するツリーのパスの上位階層から下位階層までのすべてが一目でわかると共に、フォルダ「４丸１」が有するファイル名一覧も同時に知ることができる。
【００１４】
これらのツリー構造は、携帯端末の機能が増えるにつれ、階層も深くなり、種類も増えて複雑になる。それにつれて、携帯端末の小型の表示部に、ツリー構造すべて（図２）を表示することができなくなってきた。そのために、絶対値番号「１丸１」等を表示画面に表示することにより、ユーザが階層構造を理解しやすくなる。１桁目は通常の数字、２桁目は丸枠数字として、１桁目の通常の数字が階層を表し、２桁目の丸枠数字が同一階層内に存在するフォルダの順番を表すことにより、ユーザが理解しやすくなる。  
なお、絶対値番号の表記方法はこれに限らず、例えば、２桁目をローマ数字や漢数字や「いち」「に」等の仮名表記でもよい。また、１桁目、２桁目共に通常の数字として、１桁目、２桁目だけでユーザが判断してもよい。また、１桁目を通常の数字、２桁目を「Ａ」「Ｂ」「Ｃ」等のアルファベット表記とし、絶対値番号「１Ｃ」に対してキー押下は「１」、「３」（アルファベットの３番目の「Ｃ」の意味）であってもよい。これらの絶対値番号の定義を携帯端末の取扱説明書等や表示部に表示して、ユーザに絶対値番号の意味を理解してもらい、その上でユーザが操作することにより、ユーザは階層が深くて複雑なツリー構造であってもその選択や操作がやり易くなる。
【００１５】
図５は、本発明の実施例に係る携帯端末のフォルダやメニューの表示と操作を説明する図である。  
図６は、本発明の実施例に係る携帯端末の表示制御のフローチャートである。両図により表示と操作制御の機能を説明する。フォルダ制御部２は、まず、フォルダの初期画面を表示する（ステップＳ１１。図５（ａ））。初期画面は予め、例えば、最上位のフォルダ「１丸１」選択、パス１表示と決めておく。画面の上部には、パス１の全フォルダの絶対番号「１丸１」、「２丸１」、「３丸１」、「４丸１」、「５丸１」が横方向に１列に表示され、フォルダ「１丸１」がカーソル表示された状態である。その下には、フォルダ「１丸１」の実際のフォルダ名称「あああ」が表示される。更にその下には、フォルダ「あああ」が有するファイルの名称「ＡＡＡ」、「ＢＢＢ」、「ＣＣＣ」がアイコンと共に表示される。  
この状態で、ユーザにより方向キーが押下されるとファイルへのカーソル移動と認識する（Ｓ１２でＹＥＳ）。それが下方向キーであれば、現在カーソル表示されているフォルダ「１丸１」の下側の表示のファイル「ＡＡＡ」に移動してカーソル表示する（ステップＳ１３。図５（ｂ））。そして、確定キーが押下されると、ファイル「ＡＡＡ」の処理に入る（ステップＳ１４）。
【００１６】
ユーザは、画面表示が図５（ａ）の状態で、フォルダを移動したい時には、数字キーを押した状態で方向キーを押す。例えば、フォルダ「１丸１」より３つ下の階層のフォルダ「４丸１」を見たい時には、数字キーの「３」を押した状態で右方向キーを押す。フォルダ制御部２は、数字キー＋右方向キーが押下されるとフォルダへのカーソル移動と認識する（ステップＳ１５でＹＥＳ）。そして、フォルダ制御部２は、フォルダ記憶部３に記憶しているツリー構造（図２）を参照して、フォルダ「１丸１」から右方向に「３」個下位側の階層にフォルダが存在するかをチェックし（ステップＳ１６、Ｓ１７）、フォルダ「４丸１」が存在することを確認する。そして、図５（ｃ）の表示を行う。つまり、当該フォルダ「４丸１」の属するパス１の全階層を表示する。これは、図５（ａ）のパス１と同じなので、同じ「１丸１」、「２丸１」、「３丸１」、「４丸１」、「５丸１」が横方向に１列に表示され、フォルダ「４丸１」がカーソル表示される。更にその下には、フォルダ「４丸１」の実際のフォルダ名称「いいい」を表示し、フォルダ「いいい」が有するファイルの名称「ＤＤＤ」、「ＥＥＥ」、「ＦＦＦ」、「ＧＧＧ」をアイコンと共に表示する（ステップＳ１８）。そして、フォルダ制御部２は、再び、ステップＳ１２とＳ１５の操作待ちの状態に戻る。
【００１７】
ユーザが数字キーを間違えたりして、ステップＳ１６、Ｓ１７で、もしフォルダが存在しない場合、存在しないことを表示してユーザに知らせる（ステップ１９）。そして、再び、ステップＳ１２とＳ１５の操作待ちの状態に戻る。
【００１８】
ユーザは、更に、画面表示が図５（ｃ）の状態で、画面上に表示されていない他のフォルダがあるかどうかを知りたい場合は、例えば、数字キーの「１」を押した状態で下方向キーを押す。フォルダ制御部２は、同様に、ステップＳ１２〜Ｓ１９の処理により、ツリー構造（図２）を参照して、フォルダ「４丸１」と同じ階層で「１」個下方向のフォルダ「４丸２」が存在することを確認する。そして、図５（ｄ）のように、フォルダ「４丸２」のパス２の全階層「１丸１」、「２丸１」、「３丸２」、「４丸２」が横方向に表示され、「４丸２」をカーソル表示する。その下にフォルダ「４丸２」の実際のフォルダ名称「ううう」と、フォルダ「ううう」が有するファイルの名称「ＨＨＨ」、「ＩＩＩ」、「ＪＪＪ」、「ＫＫＫ」をアイコンと共に表示する。この時、「４丸２」の上位階層も、図５（ｃ）の「３丸１」から図５（ｄ）の「３丸２」に変わっており、パスが変わったことをユーザに知らせるために、「３丸２」の表示を点滅表示等にしてもよい。
【００１９】
ユーザは、更に、画面表示が図５（ｄ）の状態で、数字キーの「１」を押した状態で下方向キーを押すと、同様に、ステップＳ１２〜Ｓ１９の処理により、フォルダ「４丸３」に関する図５（ｅ）の表示画面となる。  
ユーザは、画面表示が図５（ｃ）の状態で、数字キーの「２」を押した状態で下方向キーを押すと、フォルダ制御部２は、同様に、ステップＳ１２〜Ｓ１９の処理により、ツリー構造（図２）を参照して、フォルダ「４丸１」と同じ階層で「２」個下方向のフォルダ「４丸３」が存在することを確認する。そして、図５（ｅ）の表示画面となる。
【００２０】
なお、画面上部には、フォルダの絶対番号「１丸１」、「２丸１」、「３丸１」、「４丸１」、「５丸１」を表示したが、フォルダの正式名称を横方向に表示できる範囲で短縮して、「あ」「・」「・」「い」「・」のように表示してもよい。  
また、階層が深くなって例えばフォルダが「１丸１」〜「８丸１」の８個となって、すべてを表示しきれない場合、選択したフォルダ「４丸１」を中心にして、前後のフォルダ「２丸１」、「３丸１」、「４丸１」、「５丸１」、「６丸１」を表示するようにしてもよい。
【００２１】
また、フォルダのカーソル移動は、数字キーを押した状態で方向キーを押したが、数字キーと方向キーを個別に連続押下してもよい。１個のみの移動の場合は、方向キーのみでもよい。つまり、数字キーと方向キーの組み合わせ、又は方向キーであればよい。  
また、フォルダのカーソル移動は、数字キー＋方向キーで操作したが、フォルダは絶対番号で表示して、ユーザはそれを基に、絶対番号を類推して直接、数字キー２個でフォルダを選択するようにしてもよい。例えば、図５（ａ）の表示状態において、ユーザは、フォルダ「４丸１」を選択する時は、数字キー「４」、「１」と連続して押下することにより、フォルダ制御部２は、図５（ｃ）の表示に直接移行する。また、図５（ｃ）の表示状態において、ユーザは、フォルダ「４丸３」が存在することを推理して、数字キー「４」、「３」と連続して押下することにより、フォルダ制御部２は、フォルダ「４丸３」が存在すれば、図５（ｅ）の表示に直接移行するようにしてもよい。それにより、更に、フォルダ選択の操作性が向上する。
【００２２】
また、フォルダの階層毎に色分け表示、例えば、最上位の階層に属するフォルダをすべて赤色で表示し、第２階層に属するフォルダをすべて青色で表示し、第３階層に属するフォルダをすべて黄色で表示する等により、ユーザにとって階層の認識がしやすくなる。  
また、画面の表示方向は、階層表示欄を画面の左側に縦方向に表示し、その右側にファイル名称等を表示するようにしてもよい。
【００２３】
実施例によれば、数字キーと方向キーの組み合わせにより、従来の方向キーの機能をそのまま生かした状態で、フォルダのカーソル移動が簡単に、しかも階層を飛ばして速やかに行うことが可能となる。また、指定のフォルダが属するパスの全階層を横方向に表示できる分をすべて表示し、当該フォルダの有するファイル名を縦方向に表示することにより、ツリー構造と指定フォルダの内容詳細を同時に表示することができる。また、１系列のパスのみの表示にも関わらず、ツリーの全体構造が把握しやすい。
【図面の簡単な説明】
【００２４】
【図１】本発明の実施例に係る携帯端末の構成図。
【図２】本発明の実施例に係る携帯端末のデータフォルダやメニュー等のツリー構造を説明する図。
【図３】本発明の実施例に係る携帯端末のフォルダ管理のフローチャート。
【図４】本発明の実施例に係る携帯端末のフォルダやメニューの表示画面図。
【図５】本発明の実施例に係る携帯端末のフォルダやメニューの表示と操作を説明する図。
【図６】本発明の実施例に係る携帯端末の表示制御のフローチャート。
【符号の説明】
【００２５】
１  フォルダ管理部
２  フォルダ制御部
３  フォルダ記憶部
４  数字キー
５  方向キー
６  確定キー
７  表示部
【図１】
2007164505.tif 000003
【図２】
2007164505.tif 000004
【図３】
2007164505.tif 000005
【図４】
2007164505.tif 000006
【図５】
2007164505.tif 000007
【図６】
2007164505.tif 000008